(57)【要約】【課題】  免震床と固定床との間を取合う機能を安定して作動する免震床取合構造を提供しようとする。【解決手段】  従来の免震床取合構造に変わって、免震床と固定床とに挟まれる空間に設けられる中間機構と、固定床に隣り合う様に設けられる固定床側パネル床と、免震床に隣合う様に設けられる床構造である免震床側パネル床と、を備え、前記中間機構が基礎に固定される第一中間機構により少なくとも前記隙間方向に直交する水平方向の相対移動を拘束されて上下方向の相対移動を自在にされる様に支持される第二中間機構とを有し、前記第二中間機構が免震機構により免震床の上下移動に連動して上下移動し水平方向の相対移動を自在にする様に支持され、作動状態において前記免震床側パネル床と前記固定床側パネル床とが相対的に水平移動して一方が他方の下に潜り込める、ものとした。【選択図】    図２
2015218467.tif 000002
【特許請求の範囲】
【請求項１】
免震機構に支持される免震床と固定床との間を取り合って状態を非作動状態と作動状態との間で遷移できる免震床取合構造であって、
上から見て免震床と固定床とに挟まれる空間に設けられ上部に滑り面をもつ構造である中間機構と、
固定床に隣り合う様に設けられ固定床に近い単数または複数の個所を少なくとも固定床から離間接近する方向に相対移動しない様に上下移動自在または揺動自在に拘束される床構造である固定床側パネル床と、
免震床に隣合う様に設けられ免震床に近い単数または複数の箇所を少なくとも免震床から離間接近する方向に相対移動しない様に上下移動自在または揺動自在に拘束される床構造である免震床側パネル床と、
を備え、
前記免震床側パネル床の免震床との境から遠い側の他の縁部を免震床側パネル床自由縁部と前記固定床側パネル床の固定床との境から遠い側の他の縁部を固定床パネル床自由縁部と呼称するときに、
非作動状態において前記免震床側パネル床自由縁部と前記固定床パネル床自由縁部とが前記中間機構の上部で僅かの隙間を境に対向し、
作動状態において前記免震床側パネル床と前記固定床パネル床とが前記中間機構の前記滑り面を滑って相対的に水平移動して前記免震床側パネル床と前記固定床パネル床との一方が前記免震床側パネル床と前記固定床パネル床との他方の下に潜り込める、
ことを特徴とする免震床取合構造。
【請求項２】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により少なくとも前記隙間直交方向の相対移動を拘束されて上下方向の相対移動を自由にされる様に支持される第二中間機構とを有し、
前記第二中間機構が上部に前記滑り面を持ち、
前記第二中間機構が免震機構により水平方向の相対移動を自由にする様に支持される、
ことを特徴とする請求項１に記載の免震床取合構造。
【請求項３】
前記中間機構が基礎に固定される第一中間機構と該第一中間機構により少なくとも前記隙間直交方向の相対移動を拘束されて上下方向の相対移動を自由にされる様に支持される第二中間機構とを有し、
前記第二中間機構が上部に前記滑り面を持ち、
前記第二中間機構が免震機構により免震床の上下移動に連動して上下移動し水平方向の相対移動を自由にされる様に支持される、
ことを特徴とする請求項２に記載の免震床取合構造。
【請求項４】
前記中間機構が基礎に固定される第一中間機構と該第一中間機構により前記隙間直交方向の相対移動を拘束されて前記隙間方向の相対移動を拘束されて上下方向の相対移動を自由にする様に支持される第二中間機構とを有し、
前記第二中間機構が上部に前記滑り面を持ち、
前記第二中間機構が免震機構により免震床の上下移動に連動して上下移動し水平方向の相対移動を自由にする様に支持される、
ことを特徴とする請求項３に記載の免震床取合構造。
【請求項５】
前記隙間方向に視線を沿わせて見て非作動状態における前記免震床側パネル床自由縁部と前記固定床側パネル床自由縁部との境の隙間空間の形状が上から下に移動するに従って拡がる様になった、
ことを特徴とする請求項４に記載の免震床取合構造。
【請求項６】
前記免震床側パネル床自由縁部と前記固定床側パネル床自由縁部との一方が上方に面を向け先端に移動するに従って下方に傾斜する傾斜面である上向き傾斜面を形成され、
前記免震床側パネル床自由縁部と前記固定床側パネル床自由縁部との他方が下方に面を向け先端に移動するに従って上方に傾斜する傾斜面である下向き傾斜面を形成され、
前記隙間方向に視線を沿わせて見て前記上向き傾斜面の形状と前記下向き傾斜面の形状とが異なる、
ことを特徴とする請求項５に記載の免震床取合構造。
【請求項７】
前記免震床側パネル床自由縁部と前記固定床側パネル床自由縁部との一方が上方に面を向け先端に移動するに従って下方に傾斜する傾斜面である上向き傾斜面を形成され、
前記免震床側パネル床自由縁部と前記固定床側パネル床自由縁部との他方が下方に面を向け先端に移動するに従って上方に傾斜する傾斜面である下向き傾斜面を形成され、
作動状態において前記免震床側パネル床と前記固定床パネル床の一方が前記免震床側パネル床と前記固定床パネル床の他方の下に潜り込む際に前記上向き傾斜面と前記下向き傾斜面との接点が前記上向き傾斜面の面と前記下向き傾斜面の面とを移動し、
前記隙間方向に視線を沿わせて見て前記上向き傾斜面のうちの前記接点が移動する範囲の面の水平面からの傾斜角度θ１が前記下向き傾斜面のうちの前記接点が移動する範囲の面の水平面からの傾斜角度θ２より大きい、
ことを特徴とする請求項６に記載に免震床取合構造。
【請求項８】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により少なくとも前記隙間直交方向の相対移動を拘束されて上下方向の相対移動を自由にされる様に支持される第二中間機構とを有し、
前記第二中間機構が上部に前記滑り面を持ち、
前記第二中間機構が免震機構により免震床の上下移動に連動して上下移動し水平方向の相対移動を自由にされる様に支持される、
ことを特徴とする請求項１に記載の免震床取合構造。
【請求項９】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により前記隙間直交方向の相対移動を拘束されて前記隙間方向の相対移動を拘束されて上下方向の相対移動を自由にする様に支持される第二中間機構とを有し、
前記第二中間機構が上部に前記滑り面を持ち、
前記第二中間機構が免震機構により免震床の上下移動に連動して上下移動し水平方向の相対移動を自由にする様に支持される、
ことを特徴とする請求項１に記載の免震床取合構造。
【請求項１０】
上から見て非作動状態における前記免震床側パネル床自由縁部と前記固定床側パネル床自由縁部との境の隙間の延びて見える方向を隙間方向と呼称するときに、
前記隙間方向に視線を沿わせて見て非作動状態における前記免震床側パネル床自由縁部と前記固定床側パネル床自由縁部との境の隙間空間の形状が上から下に移動するに従って拡がる様になった、
ことを特徴とする請求項１に記載の免震床取合構造。
【請求項１１】
上から見て非作動状態における前記免震床側パネル床自由縁部と前記固定床側パネル床自由縁部との境の隙間の延びて見える方向を隙間方向と呼称するときに、
前記免震床側パネル床自由縁部と前記固定床側パネル床自由縁部との一方が上方に面を向け先端に移動するに従って下方に傾斜する傾斜面である上向き傾斜面を形成され、
前記免震床側パネル床自由縁部と前記固定床側パネル床自由縁部との他方が下方に面を向け先端に移動するに従って上方に傾斜する傾斜面である下向き傾斜面を形成され、
前記隙間方向に視線を沿わせて見て前記上向き傾斜面の形状と前記下向き傾斜面の形状とが異なる、
ことを特徴とする請求項１に記載の免震床取合構造。
【請求項１２】
前記免震床側パネル床自由縁部と前記固定床側パネル床自由縁部との一方が上方に面を向け先端に移動するに従って下方に傾斜する傾斜面である上向き傾斜面を形成され、
前記免震床側パネル床自由縁部と前記固定床側パネル床自由縁部との他方が下方に面を向け先端に移動するに従って上方に傾斜する傾斜面である下向き傾斜面を形成され、
非作動状態において前記免震床側パネル床と前記固定床パネル床の一方が前記免震床側パネル床と前記固定床パネル床の他方の下に潜り込む際に前記上向き傾斜面と前記下向き傾斜面との接点が前記上向き傾斜面の面と前記下向き傾斜面の面とを移動し、
前記上向き傾斜面のうちの前記接点が移動する範囲の面の水平面からの傾斜角度θ１が前記下向き傾斜面のうちの前記接点が移動する範囲の面の水平面からの傾斜角度θ２より大きい、
ことを特徴とする請求項１に記載に免震床取合構造。
【請求項１３】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により前記隙間直交方向の相対移動を拘束されて前記隙間方向の相対移動を自由にして上下方向の相対移動を自由にする様に支持される第二中間機構とを有し、
前記第二中間機構が上部に前記滑り面を持ち、
前記第二中間機構が免震機構により免震床の上下移動に連動して上下移動し水平方向の相対移動を自由にする様に支持される、
ことを特徴とする請求項１に記載の免震床取合構造。
【請求項１４】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により前記隙間直交方向の相対移動を拘束されて前記隙間方向の相対移動を自由にして上下方向の相対移動を自由にする様に支持される第二中間機構とを有し、
前記第二中間機構が上部に前記滑り面を持ち、
前記第二中間機構が免震機構により免震床の上下移動に連動して上下移動し前記隙間方向の相対移動を拘束され前記隙間直交方向の相対移動を自由にする様に支持される、
ことを特徴とする請求項１に記載の免震床取合構造。
【請求項１５】
前記中間機構が基礎に固定される第一中間機構と該第一中間機構により上下方向の相対移動を拘束する様に支持される第二中間機構とを有し、
前記第二中間機構が上部に前記滑り面を持つ。
ことを特徴とする請求項１に記載の免震床取合構造。
【請求項１６】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により少なくとも前記隙間直交方向の相対移動を拘束されて上下方向の相対移動を拘束される様に支持される第二中間機構とを有し。
前記第二中間機構が上部に前記滑り面を持つ。
ことを特徴とする請求項１に記載の免震床取合構造。
【請求項１７】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により前記隙間方向の移動を拘束されて前記隙間直交方向の相対移動を拘束されて上下方向の相対移動を拘束される様に支持される第二中間機構とを有し、
前記第二中間機構が上部に前記滑り面を持つ。
ことを特徴とする請求項１に記載の免震床取合構造。
【請求項１８】
上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により前記隙間方向の移動を自由にされて前記隙間直交方向の相対移動を拘束されて上下方向の相対移動を拘束される様に支持される第二中間機構とを有し、
前記第二中間機構が上部に前記滑り面を持つ。
ことを特徴とする請求項１に記載の免震床取合構造。
【請求項１９】
前記免震床側パネル床が、前記免震機構により免震床に近い単数または複数の箇所を少なくとも免震床から離間接近する方向に相対移動しない様に上下移動自在または揺動自在に拘束される、
前記固定床側パネル床が、前記第二中間機構により固定床に近い単数または複数の個所を少なくとも固定床から離間接近する方向に相対移動しない様に上下移動自在または揺動自在に拘束される、
ことを特徴とする請求項１に記載の免震床取合構造。
【請求項２０】
前記免震床側パネル床が、前記免震機構により免震床に近い単数または複数の箇所を少なくとも免震床から離間接近する方向に相対移動しない様に且つ前記隙間方向に相対移動しない様に上下移動自在または揺動自在に拘束される、
前記固定床側パネル床が、前記第二中間機構により固定床に近い単数または複数の個所を少なくとも固定床から離間接近する方向に相対移動しない様に且つ前記隙間方向に相対移動しない様に上下移動自在または揺動自在に拘束される、
ことを特徴とする請求項１に記載の免震床取合構造。
【請求項２１】
前記免震床側パネル床が、前記免震機構により免震床に近い単数または複数の箇所を少なくとも免震床から離間接近する方向に相対移動しない様に且つ前記隙間方向に相対移動自由になる様に上下移動自在または揺動自在に拘束される、
前記固定床側パネル床が、前記第二中間機構により固定床に近い単数または複数の個所を少なくとも固定床から離間接近する方向に相対移動しない様に上下移動自在または揺動自在に拘束される、
ことを特徴とする請求項１に記載の免震床取合構造。
【請求項２２】
前記免震床側パネル床が、前記免震機構により免震床に近い単数または複数の箇所を少なくとも免震床から離間接近する方向に相対移動しない様に上下移動自在または揺動自在に拘束される、
前記固定床側パネル床が、前記第二中間機構により固定床に近い単数または複数の個所を少なくとも固定床から離間接近する方向に相対移動しない様に且つ前記隙間方向に相対移動自由になる様に上下移動自在または揺動自在に拘束される、
ことを特徴とする請求項１に記載の免震床取合構造。
【請求項２３】
免震機構に支持される免震床と固定床との間を取り合って状態を非作動状態と作動状態との間で遷移できる免震床取合構造であって、
上から見て免震床と固定床とに挟まれた空間に設けられる中間機構と、
固定床に隣り合う様に設けられ固定床に近い単数または複数の個所を少なくとも固定床から離間接近する方向に相対移動しない様に上下移動自在または揺動自在に拘束される床構造である固定床側パネル床と、
免震床に隣合う様に設けられる床構造である免震床側パネル床と、
を備え、
前記免震床側パネル床の免震床との境から遠い側の他の縁部を免震床側パネル床自由縁部と前記固定床側パネル床の固定床との境から遠い側の他の縁部を固定床パネル床自由縁部と呼称し、
上から見て非作動状態における前記免震床側パネル床自由縁部と前記固定床パネル床自由縁部との境の隙間の延びて見える水平方向を隙間方向と該隙間方向に直交する水平方向を隙間直交方向と呼称するときに、
前記中間機構が基礎に固定される第一中間機構と該第一中間機構により少なくとも前記隙間直交方向の相対移動を拘束されて上下方向の相対移動を自由にされる様に支持される第二中間機構とを有し、
前記第二中間機構が免震機構により免震床の上下移動に連動して上下移動して水平方向の相対移動を自由にする様に支持され、
非作動状態において前記免震床側パネル床自由縁部と前記固定床パネル床自由縁部とが対向し、
作動状態において前記免震床側パネル床と前記固定床パネル床とが相対的に水平移動して前記免震床側パネル床と前記固定床パネル床との一方が前記免震床側パネル床と前記固定床パネル床との他方の下に潜り込める、
ことを特徴とする免震床取合構造。
【発明の詳細な説明】
【技術分野】
【０００１】
本発明は免震床と固定床との間を取合う構造である免震床取合構造に係る。特に、作動状態でも免震床と固定床との間でスムースな往来を可能とする免震床取合構造に関する。
【背景技術】
【０００２】
貴重品を収納する部屋等で、免震機構に支持される免震床を用いることが多い。
例えば、サーバコンピュータを収納する部屋で、サーバコンピュータを免震機構に支持される免震床に載せる。
例えば、美術館で、美術品を免震機構に支持される免震床に載せる。
固定床が、免震床の周囲に配される。
免震機構に支持される免震床と固定床との間を取合うために免震床取合構造が用いられる。
例えば、免震機構が免震床を支持する。免震床取合構造が、免震床と固定床との間に渡されるパネル床で構成される。
例えば、パネル床の固定床に近い個所を緩やかに固定される。
免震床取合構造が状態を非作動状態と作動状態との間で遷移する。
非作動状態では、パネル床が免震床と固定床との間の隙間を跨いでいる。人は、パネル床を経由して免震床と固定床との間を行き来する。
例えば、地震が発生すると免震機構が作動し、免震床の変位、加速度を所定の範囲に抑えようとする。その結果、免震床が水平移動または上下移動して、免震床と固定床との間の隙間が大きくなったり小さくなったりする。  
パネル床の免震床の側の縁部が免震床との間で相対移動する。
例えば、パネル床が固定床の側の箇所を中心に揺動する。
人は、揺動するパネル床を経由して免震床と固定床との間を行き来できる。
【０００３】
地震の規模が大きくなると、パネル床の揺動の程度が大きくなり、パネル床の免震床の側の縁部と免震床との隙間が大きくなり、パネル床の近くにいる人は、十分な注意を払う必要が生ずる。
【発明の概要】
【発明が解決しようとする課題】
【０００４】
本発明は、上記の現象に鑑み、免震床と固定床との間を取合う機能を安定して作動する免震床取合構造を提供しようとする。
【課題を解決するための手段】
【０００５】
上記目的を達成するため、本発明に係る免震機構に支持される免震床と固定床との間を取り合って状態を非作動状態と作動状態との間で遷移できる免震床取合構造を、上から見て免震床と固定床とに挟まれる空間に設けられ上部に滑り面をもつ構造である中間機構と、固定床に隣り合う様に設けられ固定床に近い単数または複数の個所を少なくとも固定床から離間接近する方向に相対移動しない様に上下移動自在または揺動自在に拘束される床構造である固定床側パネル床と、免震床に隣合う様に設けられ免震床に近い単数または複数の箇所を緩く上下移動自在または揺動自在に拘束される床構造である免震床側パネル床と、を備え、前記免震床側パネル床の免震床との境から遠い側の他の縁部を免震床側パネル床自由縁部と前記固定床側パネル床の固定床との境から遠い側の他の縁部を固定床側パネル床自由縁部と呼称するときに、非作動状態において前記免震床側パネル床自由縁部と前記固定床側パネル床自由縁部とが前記中間機構の上部で僅かの隙間を境に対向し、作動状態において前記免震床側パネル床と前記固定床側パネル床とが前記中間機構の前記滑り面を滑って前記中間機構の上部で相対的に水平移動して前記免震床側パネル床と前記固定床側パネル床との一方が前記免震床側パネル床と前記固定床側パネル床との他方の下に潜り込める、ものとした。
【０００６】
上記本発明の構成により、中間機構が、上から見て免震床と固定床とに挟まれる空間設けられ上部に滑り面をもつ構造である。固定床側パネル床が、固定床に隣り合う様に設けられ固定床に近い単数または複数の個所を少なくとも固定床から離間接近する方向に相対移動しない様に上下移動自在または揺動自在に拘束される床構造である。免震床側パネル床が、免震床に隣合う様に設けられ免震床に近い単数または複数の箇所を少なくとも免震床から離間接近する方向に相対移動しない様に上下移動自在または揺動自在に拘束される床構造である。前記免震床側パネル床の免震床との境から遠い側の他の縁部を免震床側パネル床自由縁部と前記固定床側パネル床の固定床との境から遠い側の他の縁部を固定床側パネル床自由縁部と呼称するときに、非作動状態において前記免震床側パネル床自由縁部と前記固定床側パネル床自由縁部とが前記中間機構の上部で僅かの隙間を境に対向する。作動状態において前記免震床側パネル床と前記固定床側パネル床とが前記中間機構の前記滑り面を滑って相対的に水平移動して前記免震床側パネル床と前記固定床側パネル床との一方が前記免震床側パネル床と前記固定床側パネル床との他方の下に潜り込める。
その結果、非作動状態と作動状態のいつでもパネル床を経由して免震床と固定床との間を行き来できる。
【０００７】
以下に、本発明の実施形態に係る免震床取合構造を説明する。本発明は、以下に記載した実施形態のいずれか、またはそれらの中の二つ以上が組み合わされた態様を含む。
【０００８】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を自由にされる様に支持される第二中間機構とを有し、前記第二中間機構が上部に前記滑り面を持ち、前記第二中間機構が免震機構により水平方向の相対移動を自由にする様に支持される。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称する。前記中間機構が基礎に固定される第一中間機構と該第一中間機構により少なくとも前記隙間直交方向の相対移動を拘束されて上下方向の相対移動を自由にされる様に支持される第二中間機構とを有する。前記第二中間機構が上部に前記滑り面を持つ。前記第二中間機構が免震機構により水平方向の相対移動を自由にする様に支持される。
その結果、揺動機構に支持された免震床と揺動機構に支持された第二中間機構が連動して上下移動して、前記免震床側パネル床と前記固定床側パネル床とが第二中間機構の滑り面の上を滑り、非作動状態と作動状態のいつでもパネル床を経由して免震床と固定床との間を行き来できる。
【０００９】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を自由にされる様に支持される第二中間機構とを有し、前記第二中間機構が上部に前記滑り面を持ち、前記第二中間機構が免震機構により免震床の上下移動に連動して上下移動し水平方向の相対移動を自由にされる様に支持される。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を自由にされる様に支持される第二中間機構とを有する。前記第二中間機構が上部に前記滑り面を持つ。前記第二中間機構が免震機構により免震床の上下移動に連動して上下移動し水平方向の相対移動を自由にされる様に支持される。
その結果、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
【００１０】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間直交方向の相対移動を拘束されて前記隙間方向の相対移動を拘束されて上下方向の相対移動を自由にする様に支持される第二中間機構とを有し、前記第二中間機構が上部に前記滑り面を持ち、前記第二中間機構が免震機構により免震床の上下移動に連動して上下移動し水平方向の相対移動を自由にする様に支持される。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間直交方向の相対移動を拘束されて前記隙間方向の相対移動を拘束されて上下方向の相対移動を自由にする様に支持される第二中間機構とを有する。前記第二中間機構が上部に前記滑り面を持つ。前記第二中間機構が免震機構により免震床の上下移動に連動して上下移動し水平方向の相対移動を自由にする様に支持される。
その結果、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
【００１１】
本発明の実施形態に係る免震床取合構造は、上から見て非作動状態における前記免震床側パネル床自由縁部と前記固定床側パネル床自由縁部との境の隙間の延びて見える水平方向を隙間方向と呼称するときに、前記隙間方向に視線を沿わせて見て非作動状態における前記免震床側パネル床自由縁部と前記固定床側パネル床自由縁部との境の隙間空間の形状が上から下に移動するに従って拡がる様になった。
上記の実施形態の構成により、上から見て非作動状態における前記免震床側パネル床自由縁部と前記固定床側パネル床自由縁部との境の隙間の延びて見える水平方向を隙間方向と呼称するときに、前記隙間方向に視線を沿わせて見て非作動状態における前記免震床側パネル床自由縁部と前記固定床側パネル床自由縁部との境の隙間空間の形状が上から下に移動するに従って拡がる様になった。
その結果、作動状態において前記免震床側パネル床自由縁部と前記固定床側パネル床自由縁部とが前記隙間方向にみて一箇所で接触して滑り前記免震床側パネル床と前記固定床側パネル床との一方が前記免震床側パネル床と前記固定床側パネル床との他方の下に安定して潜り込める。
【００１２】
本発明の実施形態に係る免震床取合構造は、上から見て非作動状態における前記免震床側パネル床自由縁部と前記固定床側パネル床自由縁部との境の隙間の延びて見える水平方向を隙間方向と呼称するときに、前記免震床側パネル床自由縁部と前記固定床側パネル床自由縁部との一方が上方に面を向け先端に移動するに従って下方に傾斜する傾斜面である上向き傾斜面を形成され、前記免震床側パネル床自由縁部と前記固定床側パネル床自由縁部との他方が下方に面を向け先端に移動するに従って上方に傾斜する傾斜面である下向き傾斜面を形成され、前記隙間方向に視線を沿わせて見て前記上向き傾斜面の形状と前記下向き傾斜面の形状とが異なる。
上記の実施形態の構成により、上から見て非作動状態における前記免震床側パネル床自由縁部と前記固定床側パネル床自由縁部との境の隙間の延びて見える水平方向を隙間方向と呼称するときに、前記免震床側パネル床自由縁部と前記固定床側パネル床自由縁部との一方が上方に面を向け先端に移動するに従って下方に傾斜する傾斜面である上向き傾斜面を形成される。前記免震床側パネル床自由縁部と前記固定床側パネル床自由縁部との他方が下方に面を向け先端に移動するに従って上方に傾斜する傾斜面である下向き傾斜面を形成される。前記隙間方向に視線を沿わせて見て前記上向き傾斜面の形状と前記下向き傾斜面の形状とが異なる。
その結果、作動状態において前記免震床側パネル床自由縁部と前記固定床側パネル床自由縁部とが前記隙間方向にみて一箇所で接触して滑り前記免震床側パネル床と前記固定床側パネル床との一方が前記免震床側パネル床と前記固定床側パネル床との他方の下に安定して潜り込める。
【００１３】
本発明の実施形態に係る免震床取合構造は、上から見て非作動状態における前記免震床側パネル床自由縁部と前記固定床側パネル床自由縁部との境の隙間の延びて見える水平方向を隙間方向と呼称するときに、前記免震床側パネル床自由縁部と前記固定床側パネル床自由縁部との一方が上方に面を向け先端に移動するに従って下方に傾斜する傾斜面である上向き傾斜面を形成され、前記免震床側パネル床自由縁部と前記固定床側パネル床自由縁部との他方が下方に面を向け先端に移動するに従って上方に傾斜する傾斜面である下向き傾斜面を形成され、作動状態において前記免震床側パネル床と前記固定床側パネル床の一方が前記免震床側パネル床と前記固定床側パネル床の他方の下に潜り込む際に前記上向き傾斜面と前記下向き傾斜面との接点が前記上向き傾斜面の面と前記下向き傾斜面の面とを移動し、前記隙間方向に視線を沿わせて見て前記上向き傾斜面のうちの前記接点が移動する範囲の面の水平面からの傾斜角度θ１が前記下向き傾斜面のうちの前記接点が移動する範囲の面の水平面からの傾斜角度θ２より大きい。
上記の実施形態の構成により、上から見て非作動状態における前記免震床側パネル床自由縁部と前記固定床側パネル床自由縁部との境の隙間の延びて見える水平方向を隙間方向と呼称するときに、前記免震床側パネル床自由縁部と前記固定床側パネル床自由縁部との一方が上方に面を向け先端に移動するに従って下方に傾斜する傾斜面である上向き傾斜面を形成される。前記免震床側パネル床自由縁部と前記固定床側パネル床自由縁部との他方が下方に面を向け先端に移動するに従って上方に傾斜する傾斜面である下向き傾斜面を形成される。作動状態において前記免震床側パネル床と前記固定床側パネル床の一方が前記免震床側パネル床と前記固定床側パネル床の他方の下に潜り込む際に前記上向き傾斜面と前記下向き傾斜面との接点が前記上向き傾斜面の面と前記下向き傾斜面の面とを移動する。前記隙間方向に視線を沿わせて見て前記上向き傾斜面のうちの前記接点が移動する範囲の面の水平面からの傾斜角度θ１が前記下向き傾斜面のうちの前記接点が移動する範囲の面の水平面からの傾斜角度θ２より大きい。
その結果、作動状態において前記免震床側パネル床自由縁部と前記固定床側パネル床自由縁部とが前記隙間方向にみて接点で接触して滑り前記免震床側パネル床と前記固定床側パネル床との一方が前記免震床側パネル床と前記固定床側パネル床との他方の下に安定して潜り込める。
【００１４】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間直交方向の相対移動を拘束されて前記隙間方向の相対移動を自由にして上下方向の相対移動を自由にする様に支持される第二中間機構とを有し、前記第二中間機構が上部に前記滑り面を持ち、前記第二中間機構が免震機構により免震床の上下移動に連動して上下移動し水平方向の相対移動を自由にする様に支持される。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間直交方向の相対移動を拘束されて前記隙間方向の相対移動を自由にして上下方向の相対移動を自由にする様に支持される第二中間機構とを有する。前記第二中間機構が上部に前記滑り面を持つ。前記第二中間機構が免震機構により免震床の上下移動に連動して上下移動し水平方向の相対移動を自由にする様に支持される。
その結果、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
【００１５】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間直交方向の相対移動を拘束されて前記隙間方向の相対移動を自由にして上下方向の相対移動を自由にする様に支持される第二中間機構とを有し、前記第二中間機構が上部に前記滑り面を持ち、前記第二中間機構が免震機構により免震床の上下移動に連動して上下移動し前記隙間方向の相対移動を拘束され前記隙間直交方向の相対移動を自由にする様に支持される。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間直交方向の相対移動を拘束されて前記隙間方向の相対移動を自由にして上下方向の相対移動を自由にする様に支持される第二中間機構とを有する。前記第二中間機構が上部に前記滑り面を持つ。前記第二中間機構が免震機構により免震床の上下移動に連動して上下移動し前記隙間方向の相対移動を拘束され前記隙間直交方向の相対移動を自由にする様に支持される。
その結果、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
【００１６】
本発明の実施形態に係る免震床取合構造は、前記中間機構が基礎に固定される第一中間機構と該第一中間機構により上下方向の相対移動を拘束する様に支持される第二中間機構とを有し、前記第二中間機構が上部に前記滑り面を持つ。
上記の実施形態の構成により、前記中間機構が基礎に固定される第一中間機構と該第一中間機構により上下方向の相対移動を拘束する様に支持される第二中間機構とを有する。
前記第二中間機構が上部に前記滑り面を持つ。
その結果、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
【００１７】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を拘束される様に支持される第二中間機構とを有し、前記第二中間機構が上部に前記滑り面を持つ。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を拘束される様に支持される第二中間機構とを有する。前記第二中間機構が上部に前記滑り面を持つ。
その結果、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
【００１８】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間方向の移動を拘束されて前記隙間直交方向の相対移動を拘束されて上下方向の相対移動を拘束される様に支持される第二中間機構とを有し、前記第二中間機構が上部に前記滑り面を持つ。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間方向の移動を拘束されて前記隙間直交方向の相対移動を拘束されて上下方向の相対移動を拘束される様に支持される第二中間機構とを有する。前記第二中間機構が上部に前記滑り面を持つ。
その結果、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
【００１９】
本発明の実施形態に係る免震床取合構造は、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間方向の移動を自由にされて前記隙間直交方向の相対移動を拘束されて上下方向の相対移動を拘束される様に支持される第二中間機構とを有し、前記第二中間機構が上部に前記滑り面を持つ。
上記の実施形態の構成により、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により前記隙間方向の移動を自由にされて前記隙間直交方向の相対移動を拘束されて上下方向の相対移動を拘束される様に支持される第二中間機構とを有する。前記第二中間機構が上部に前記滑り面を持つ。
その結果、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
【００２０】
本発明の実施形態に係る免震床取合構造は、前記免震床側パネル床が、前記免震機構により免震床に近い単数または複数の箇所を少なくとも免震床から離間接近する方向に相対移動しない様に上下移動自在または揺動自在に拘束され、前記固定床側パネル床が、前記第二中間機構により固定床に近い単数または複数の個所を少なくとも固定床から離間接近する方向に相対移動しない様に上下移動自在または揺動自在に拘束される。
上記の実施形態の構成により、前記免震床側パネル床が、前記免震機構により免震床に近い単数または複数の箇所を少なくとも免震床から離間接近する方向に相対移動しない様に上下移動自在または揺動自在に拘束される。前記固定床側パネル床が、前記第二中間機構により固定床に近い単数または複数の個所を少なくとも固定床から離間接近する方向に相対移動しない様に上下移動自在または揺動自在に拘束される。
その結果、免震床の動きに連動して、免震床側パネル床と固定床側パネル床とが上下移動または揺動できる。
【００２１】
本発明の実施形態に係る免震床取合構造は、前記免震床側パネル床が、前記免震機構により免震床に近い単数または複数の箇所を少なくとも免震床から離間接近する方向に相対移動しない様に且つ前記隙間方向に相対移動しない様に上下移動自在または揺動自在に拘束され、前記固定床側パネル床が、前記第二中間機構により固定床に近い単数または複数の個所を少なくとも固定床から離間接近する方向に相対移動しない様に且つ前記隙間方向に相対移動しない様に上下移動自在または揺動自在に拘束される。
上記の実施形態の構成により、前記免震床側パネル床が、前記免震機構により免震床に近い単数または複数の箇所を少なくとも免震床から離間接近する方向に相対移動しない様に且つ前記隙間方向に相対移動しない様に上下移動自在または揺動自在に拘束される。前記固定床側パネル床が、前記第二中間機構により固定床に近い単数または複数の個所を少なくとも固定床から離間接近する方向に相対移動しない様に且つ前記隙間方向に相対移動しない様に上下移動自在または揺動自在に拘束される。
その結果、免震床の動きに連動して、免震床側パネル床と固定床側パネル床とが上下移動または揺動できる。
【００２２】
本発明の実施形態に係る免震床取合構造は、前記免震床側パネル床が、前記免震機構により免震床に近い単数または複数の箇所を少なくとも免震床から離間接近する方向に相対移動しない様に且つ前記隙間方向に相対移動自由になる様に上下移動自在または揺動自在に拘束され、前記固定床側パネル床が、前記第二中間機構により固定床に近い単数または複数の個所を少なくとも固定床から離間接近する方向に相対移動しない様に上下移動自在または揺動自在に拘束される。
上記の実施形態の構成により、前記免震床側パネル床が、前記免震機構により免震床に近い単数または複数の箇所を少なくとも免震床から離間接近する方向に相対移動しない様に且つ前記隙間方向に相対移動自由になる様に上下移動自在または揺動自在に拘束される、前記固定床側パネル床が、前記第二中間機構により固定床に近い単数または複数の個所を少なくとも固定床から離間接近する方向に相対移動しない様に上下移動自在または揺動自在に拘束される、
その結果、免震床の動きに連動して、免震床側パネル床と固定床側パネル床とが上下移動または揺動できる。
【００２３】
本発明の実施形態に係る免震床取合構造は、前記免震床側パネル床が、前記免震機構により免震床に近い単数または複数の箇所を少なくとも免震床から離間接近する方向に相対移動しない様に上下移動自在または揺動自在に拘束され、前記固定床側パネル床が、前記第二中間機構により固定床に近い単数または複数の個所を少なくとも固定床から離間接近する方向に相対移動しない様に且つ前記隙間方向に相対移動自由になる様に上下移動自在または揺動自在に拘束される。
上記の実施形態の構成により、前記免震床側パネル床が、前記免震機構により免震床に近い単数または複数の箇所を少なくとも免震床から離間接近する方向に相対移動しない様に上下移動自在または揺動自在に拘束される。前記固定床側パネル床が、前記第二中間機構により固定床に近い単数または複数の個所を少なくとも固定床から離間接近する方向に相対移動しない様に且つ前記隙間方向に相対移動自由になる様に上下移動自在または揺動自在に拘束される。
その結果、免震床の動きに連動して、免震床側パネル床と固定床側パネル床とが上下移動または揺動できる。
【００２４】
上記目的を達成するため、本発明に係る免震機構に支持される免震床と固定床との間を取り合って状態を非作動状態と作動状態との間で遷移できる免震床取合構造を、上から見て免震床と固定床とに挟まれる空間に設けられる中間機構と、固定床に隣り合う様に設けられ固定床に近い単数または複数の個所を少なくとも固定床から離間接近する方向に相対移動しない様に上下移動自在または揺動自在に拘束される床構造である固定床側パネル床と、免震床に隣合う様に設けられる床構造である免震床側パネル床と、を備え、前記免震床側パネル床の免震床との境から遠い側の他の縁部を免震床側パネル床自由縁部と前記固定床側パネル床の固定床との境から遠い側の他の縁部を固定床側パネル床自由縁部と呼称し、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を自由にされる様に支持される第二中間機構とを有し、前記第二中間機構が免震機構により免震床の上下移動に連動して上下移動し水平方向の相対移動を自由にする様に支持され、非作動状態において前記免震床側パネル床自由縁部と前記固定床側パネル床自由縁部とが対向し、作動状態において前記免震床側パネル床と前記固定床側パネル床とが相対的に水平移動して前記免震床側パネル床と前記固定床側パネル床との一方が前記免震床側パネル床と前記固定床側パネル床との他方の下に潜り込める、ものとした。
【００２５】
上記本発明の構成により、中間機構が、上から見て免震床と固定床とに挟まれる空間に設けられる。固定床側パネル床が、固定床に隣り合う様に設けられ固定床に近い単数または複数の個所を少なくとも固定床から離間接近する方向に相対移動しない様に上下移動自在または揺動自在に拘束される床構造である。免震床側パネル床が、免震床に隣合う様に設けられる床構造である。前記免震床側パネル床の免震床との境から遠い側の他の縁部を免震床側パネル床自由縁部と前記固定床側パネル床の固定床との境から遠い側の他の縁部を固定床側パネル床自由縁部と呼称し、上から見て非作動状態における前記免震床側パネル床自由縁部と前記固定床側パネル床自由縁部との境の隙間の延びて見える水平方向を隙間方向と該隙間方向に直交する水平方向を隙間直交方向と呼称するときに、前記中間機構が基礎に固定される第一中間機構と該第一中間機構により少なくとも前記隙間直交方向の相対移動を拘束されて上下方向の相対移動を自由にされる様に支持される第二中間機構とを有する。前記第二中間機構が免震機構により免震床の上下移動に連動して上下移動し水平方向の相対移動を自由にする様に支持される。非作動状態において前記免震床側パネル床自由縁部と前記固定床側パネル床自由縁部とが対向する。作動状態において前記免震床側パネル床と前記固定床側パネル床とが相対的に水平移動して前記免震床側パネル床と前記固定床側パネル床との一方が前記免震床側パネル床と前記固定床側パネル床との他方の下に潜り込める。
その結果、非作動状態と作動状態のいつでもパネル床を経由して免震床と固定床との間を行き来できる。
【発明の効果】
【００２６】
以上説明したように、本発明に係る免震床取合構造は、その構成により、以下の効果を有する。
上部に滑り面をもつ中間機構を免震床と固定床とに挟まれる空間に設け、免震床側パネル床を免震床に近い個所を緩く拘束して免震床に隣り合う様に設け、固定床側パネル床を固定床に近い個所を緩く拘束して固定床に隣り合う様に設け、非作動状態において前記免震床側パネル床の縁部と固定床側パネル床の縁部が中間機構の上部で僅かの隙間を境に対向し、作動状態において前記免震床側パネル床と前記固定床側パネル床とが滑り面を滑って一方が他方の下に潜り込める様にしたので、非作動状態と作動状態のいつでもパネル床を経由して免震床と固定床との間を行き来できる。
また、基礎に固定される前記第一中間機構が上部に前記滑り面をもつ前記第二中間機構を水平方向の相対移動を拘束し上下方向の相対移動を自由にする様に支持し、免震機構が前記第二中間機構を水平方向の相対移動を自由にする様に支持する様にしたので、揺動機構に支持された免震床と揺動機構に支持された第二中間機構が連動して上下移動して、前記免震床側パネル床と前記固定床側パネル床とが第二中間機構の滑り面の上を滑り、非作動状態と作動状態のいつでもパネル床を経由して免震床と固定床との間を行き来できる。
また、基礎に固定される前記第一中間機構が上部に前記滑り面をもつ前記第二中間機構を水平方向の相対移動を拘束し上下方向の相対移動を自由にする様に支持し、免震機構が前記第二中間機構を水平方向の相対移動を自由にし免震床の上下移動に連動して上下移動する様に支持する様にしたので、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
また、基礎に固定される前記第一中間機構が上部に前記滑り面をもつ前記第二中間機構を隙間方向と隙間方向に直交する方向の移動を拘束し上下方向の相対移動を自由にする様に支持し、免震機構が前記第二中間機構を水平方向の相対移動を自由にし免震床の上下移動に連動して上下移動する様に支持する様にしたので、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
また、非作動状態における前記免震床側パネル床自由縁部と前記固定床側パネル床自由縁部との境の隙間の前記隙間方向に視線を沿わせて見た形状が上から下に移動するに従って拡がる様にしたので、作動状態において前記免震床側パネル床自由縁部と前記固定床側パネル床自由縁部とが前記隙間方向にみて一箇所で接触して滑り前記免震床側パネル床と前記固定床側パネル床との一方が前記免震床側パネル床と前記固定床側パネル床との他方の下に安定して潜り込める。
また、先端に移動するに従って厚さが薄くなる様に傾斜する上向き傾斜面を前記免震床側パネル床自由縁部と前記固定床側パネル床自由縁部との一方の上側に形成し、先端に移動するに従って厚さが薄くなる様に傾斜する下向き傾斜面を他方の下側に形成し、前記隙間方向に視線を沿わせて見て前記上向き傾斜面の形状と前記下向き傾斜面の形状とが異なる様にしたので、作動状態において前記免震床側パネル床自由縁部と前記固定床側パネル床自由縁部とが前記隙間方向にみて一箇所で接触して滑り前記免震床側パネル床と前記固定床側パネル床との一方が前記免震床側パネル床と前記固定床側パネル床との他方の下に安定して潜り込める。
また、先端に移動するに従って厚さが薄くなる様に傾斜する上向き傾斜面を前記免震床側パネル床自由縁部と前記固定床側パネル床自由縁部との一方の上側に形成し、先端に移動するに従って厚さが薄くなる様に傾斜する下向き傾斜面を他方の下側に形成し、作動状態において前記隙間方向に視線を沿わせて見て前記上向き傾斜面と前記下向き傾斜面との接点が前記上向き傾斜面の面と前記下向き傾斜面の面とを移動し、前記上向き傾斜面のうちの少なくとも前記接点が移動する範囲の面の水平面からの傾斜角度が前記下向き傾斜面のうちの少なくとも前記接点が移動する範囲の面の水平面からの傾斜角度より大きい様にしたので、作動状態において前記免震床側パネル床自由縁部と前記固定床側パネル床自由縁部とが前記隙間方向にみて接点で接触して滑り前記免震床側パネル床と前記固定床側パネル床との一方が前記免震床側パネル床と前記固定床側パネル床との他方の下に安定して潜り込める。
また、基礎に固定される前記第一中間機構が上部に前記滑り面をもつ前記第二中間機構を隙間方向に直交する方向の移動を拘束し隙間方向の相対移動を自由にし上下方向の相対移動を自由にする様に支持し、免震機構が前記第二中間機構を水平方向の相対移動を自由にし免震床の上下移動に連動して上下移動する様に支持する様にしたので、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
また、基礎に固定される前記第一中間機構が上部に前記滑り面をもつ前記第二中間機構を隙間方向に直交する方向の移動を拘束し隙間方向の相対移動を自由にし上下方向の相対移動を自由にする様に支持し、免震機構が前記第二中間機構を前記隙間方向の相対移動を拘束し前記隙間直交方向の相対移動を自由に免震床の上下移動に連動して上下移動する様に支持する様にしたので、前記免震床側パネル床と前記固定床側パネル床とが免震床の上下移動に連動して上下移動する第二中間機構の滑り面の上を滑り、非作動状態と作動状態のいつでもパネル床を経由して免震床と固定床との間を行き来できる。
また、基礎に固定される前記第一中間機構が上部に滑り面をもつ前記第二中間機構を上下方向の相対移動を拘束する様に支持する様にしたので、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
また、基礎に固定される前記第一中間機構が上部に滑り面をもつ前記第二中間機構を水平方向の相対移動を拘束され上下方向の相対移動を拘束する様に支持する様にしたので、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
また、基礎に固定される前記第一中間機構が上部に滑り面をもつ前記第二中間機構を前記隙間方向の移動を拘束され前記隙間直交方向の相対移動を拘束され上下方向の相対移動を拘束する様に支持する様にしたので、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
また、基礎に固定される前記第一中間機構が上部に滑り面をもつ前記第二中間機構を前記隙間方向の移動を自由にされ前記隙間直交方向の相対移動を拘束され上下方向の相対移動を拘束する様に支持する様にしたので、前記免震床側パネル床と前記固定床側パネル床とが上下移動を拘束される第二中間機構の滑り面の上を滑り、非作動状態と作動状態のいつでもパネル床を経由して免震床と固定床との間を行き来できる。
また、免震床側パネル床が、少なくとも免震床から離間接近する方向に相対移動しない様に上下移動自在または揺動自在に拘束され、固定床側パネル床が、少なくとも固定床から離間接近する方向に相対移動しない様に上下移動自在または揺動自在に拘束される様にしたので、免震床の動きに連動して、免震床側パネル床と固定床側パネル床とが上下移動または揺動できる。
また、前記免震床側パネル床が、少なくとも免震床から離間接近する方向に相対移動しない様に且つ前記隙間方向に相対移動しない様に上下移動自在または揺動自在に拘束され、
前記固定床側パネル床が、少なくとも固定床から離間接近する方向に相対移動しない様に且つ前記隙間方向に相対移動しない様に且つ上下移動自在または揺動自在に拘束される様にしたので、免震床の動きに連動して、免震床側パネル床と固定床側パネル床とが上下移動または揺動できる。
また、前記免震床側パネル床が、少なくとも免震床から離間接近する方向に相対移動しない様に且つ前記隙間方向に相対移動自由になる様に上下移動自在または揺動自在に拘束され、前記固定床側パネル床が、少なくとも固定床から離間接近する方向に相対移動しない様に上下移動自在または揺動自在に拘束される様にしたので、免震床の動きに連動して、免震床側パネル床と固定床側パネル床とが上下移動または揺動できる。
また、前記免震床側パネル床が少なくとも免震床から離間接近する方向に相対移動しない様に上下移動自在または揺動自在に拘束され、前記固定床側パネル床が、少なくとも固定床から離間接近する方向に相対移動しない様に且つ前記隙間方向に相対移動自由になる様に上下移動自在または揺動自在に拘束される、様にしたので、免震床の動きに連動して、免震床側パネル床と固定床側パネル床とが上下移動または揺動できる。
中間機構を免震床と固定床との隙間に設け、免震床側パネル床を免震床に隣り合う様に設け、固定床側パネル床を隙間方向に視線を沿わせて相対移動自由にし固定床に近い個所を拘束して固定床に隣り合う様に設け、非作動状態において前記免震床側パネル床の縁部と固定床側パネル床の縁部が僅かの隙間を境に対向し、作動状態において前記免震床側パネル床と前記固定床側パネル床とが滑り面を滑って一方が他方の下に潜り込める様にしたので、非作動状態と作動状態のいつでもパネル床を経由して免震床と固定床との間を行き来できる。
従って、免震床と固定床との間を取合う機能を安定して作動する免震床取合構造を提供を提供できる。
【図面の簡単な説明】
【００２７】
【図１】本発明の第一の実施形態に係る免震床取合構造の概念図である。
【図２】本発明の第一の実施形態に係る免震床取合構造の側面図である。
【図３】本発明の第一の実施形態に係る免震床取合構造の部分詳細図である。
【図４】本発明の第一の実施形態に係る中間機構の三面図である。
【図５】本発明の第一の実施形態に係る免震床取合構造の作用説明図である。
【図６】本発明の第二の実施形態に係る免震床取合構造の側面図である。
【図７】本発明の第二の実施形態に係る免震床取合構造のＡ−Ａ矢視図である。
【図８】本発明の第二の実施形態に係る免震床取合構造のＡ−Ａ矢視図である。
【図９】本発明の第二の実施形態に係る中間機構の三面図である。
【図１０】本発明の第三の実施形態に係る免震床取合構造の概念図である。
【図１１】本発明の第三の実施形態に係る免震床取合構造の作動説明図である。
【図１２】本発明の第四の実施形態に係る免震床取合構造の側面図である。
【図１３】本発明の第四の実施形態に係る免震床取合構造の部分平面図である。
【発明を実施するための形態】
【００２８】
以下、本発明を実施するための形態を、説明する。
最初に、本発明の実施形態にかかる免震床取合構造を、図を基に、説明する。
図１、図１０は、本発明の実施形態に係る免震床取合構造の概念図である。
ここで、免震は、狭義の免震の他に制振をも含む。
【００２９】
免震床取合構造１００は、免震機構４００に支持される免震床と固定床との間を取り合って状態を非作動状態と作動状態との間で遷移できる構造である。
免震床取合構造１００は、免震機構に支持される免震床と基礎に支持される固定床との間を取り合って状態を非作動状態と作動状態との間で遷移できる構造である。
免震床取合構造１００は、基礎に設置される免震機構４００に支持される免震床３００と基礎に支持される固定床２００との間を取り合って、状態を非作動状態と作動状態との間で遷移できる構造である。
【００３０】
免震機構４００は、基礎に設けられ免震床３００を支持し、地震等による揺れを低減させる機構である。
免震機構４００は、免震機構本体（図示せず）と免震機構架構４１０とで構成される。
免震機構４００は、免震機構本体（図示せず）と免震機構架構４１０と免震床側パネル床拘束部４２０とで構成されてもよい。
免震機構４００は、免震機構本体（図示せず）と免震機構架構４１０と免震床側パネル床拘束部４２０と第二中間機構支持部４３０とで構成されてもよい。
免震機構本体（図示せず）は、免震機能を発揮する機構である。
例えば、免震機構本体（図示せす）は、下部免震機構本体と中間免震機構本体と上部免震機構本体とで構成される。
例えば、中間免震機構本体は、下部免震機構本体に支持され、上部免震機構本体を支持する。中間免震機構本体は、上部免震機構本体が水平方向に移動すると水平方向に移動する距離に応じて上方に移動する様に案内する。例えば、中間免震機構本体は、下方に湾曲した案内レールを持つ。
例えば、中間免震機構本体は、下部免震機構本体に支持され、上部免震機構本体を支持する。中間免震機構本体は、上部免震機構本体が水平移動する様に案内する。例えば、中間免震機構本体は、多段に重なった積層材を持つ。例えば、中間免震機構本体は、エアークッションを持つ。
免震機構架構４１０は、免震機構本体（図示せず）に支持される構造体である。
例えば、免震機構架構４１０は、上部免震機構本体に支持される。
免震床側パネル床拘束部４２０は、免震床側パネル床１３０を拘束する部分である。
第二中間機構支持部４３０は、後述する第二中間機構を支持する機構である。
【００３１】
免震床３００は、免震機構４００により免震される床である。
地震等による揺れを嫌う対象物を免震床３００に載せる。
この様にすると、対象物に過大な力が作用するのを抑制できる。
【００３２】
固定床２００は、免震されていない床または小規模の揺れを免震する床である。
固定床２００は、基礎Ｇに設置されてもよい。
【００３３】
免震床取合構造１００は、中間機構１１０と固定床側パネル床１２０と免震床側パネル床１３０とで構成される。
【００３４】
中間機構１１０は、上から見て固定床２００と免震床３００とに挟まれる空間に設けられる構造である。
中間機構１１０は、上から見て固定床２００と免震床３００とに挟まれる空間に設けられる構造であって、基礎Ｇに支持されてもよい。
中間機構１１０は、上から見て固定床２００と免震床３００とに挟まれる空間に設けられ上部に滑り面Ｓをもつ構造であってもよい。
中間機構１１０は、上から見て固定床２００と免震床３００とに挟まれる空間に設けられ上部に滑り面Ｓをもつ構造であって、基礎Ｇに支持されてもよい。
【００３５】
固定床側パネル床１２０は、固定床２００に隣り合う様に設けられる床構造である。
固定床側パネル床１２０は、固定床２００に隣り合う様に設けられ、固定床２００に近い単数または複数の個所を少なくとも固定床から離間接近する方向に相対移動しない様に上下移動自在または揺動自在に拘束される床構造であってもよい。
固定床側パネル床１２０は、固定床２００に隣り合う様に設けられ、固定床２００に近い単数または複数の個所を少なくとも固定床から離間接近する方向に相対移動しない様に上下移動自由に拘束される床構造であってもよい。
固定床側パネル床１２０は、固定床２００に隣り合う様に設けられ、固定床２００に近い単数または複数の個所を少なくとも固定床から離間接近する方向に相対移動しない様に揺動自由に拘束される床構造であってもよい。
固定床側パネル床１２０は、固定床２００に隣り合う様に設けられ、固定床２００に近い単数または複数の個所を少なくとも固定床から離間接近する方向に相対移動しない様に上下移動自由および揺動自由に拘束される床構造であってもよい。
固定床側パネル床１２０は、固定床２００に互いの縁部を僅かな隙間を境に対向させて隣合う様に設けられてもよい。
【００３６】
免震床側パネル床１３０は、免震床３００に隣合う様に設けられる床構造である。
免震床側パネル床１３０は、免震床３００に隣合う様に設けられ免震床３００に近い単数または複数の箇所を少なくとも免震床から離間接近する方向に相対移動しない様に上下移動自在または揺動自在に拘束される床構造であってもよい。
免震床側パネル床１３０は、免震床３００に隣合う様に設けられ免震床３００に近い単数または複数の箇所を少なくとも免震床から離間接近する方向に相対移動しない様に上下移動自由に拘束される床構造であってもよい。
免震床側パネル床１３０は、免震床３００に隣合う様に設けられ免震床３００に近い単数または複数の箇所を少なくとも免震床から離間接近する方向に相対移動しない様に揺動自由に拘束される床構造であってもよい。
免震床側パネル床１３０は、免震床３００に隣合う様に設けられ免震床３００に近い単数または複数の箇所を少なくとも免震床から離間接近する方向に相対移動しない様に上下移動自由および揺動自由に拘束される
免震床側パネル床１３０は、免震床３００に互いの縁部を僅かな隙間を境に対向させて隣合う様に設けられてもよい。
【００３７】
ここで、説明の容易のために、免震床側パネル床１３０の免震床３００との境から遠い側の他の縁部を免震床側パネル床自由縁部１３２と、固定床側パネル床１２０の固定床２００との境から遠い側の他の縁部を固定床側パネル床自由縁部１２２と、呼称する。
さらに、説明の容易のために、上から見て、非作動状態における免震床側パネル床自由縁部１３２と固定床側パネル床自由縁部１２２との境の隙間の延びて見える方向を隙間方向Ｐと、隙間方向Ｐに直交する水平方向を隙間直交方向Ｑと、呼称する。
【００３８】
中間機構１１０が、第一中間機構１１１と第二中間機構１１２とで構成されてもよい。
例えば、第一中間機構１１１は、基礎に固定される機構である。
例えば、第二中間機構１１２は、第一中間機構１１１により少なくとも隙間直交方向Ｑの相対移動を拘束されて上下方向の相対移動を自由にされる様に支持される機構である。
第二中間機構１１２が、免震機構４００により免震床３００の上下移動に連動して上下移動し、水平方向の相対移動を自由にする様に支持されてもよい。
第二中間機構１１２が、免震機構４００により免震床３００の上下移動に連動して上下移動し、隙間直交方向Ｑの相対移動を自由にする様に支持されてもよい。
【００３９】
中間機構１１０が、第一中間機構１１１と第二中間機構１１２とで構成されてもよい。
例えば、第一中間機構１１１は、基礎に固定される機構である。
第二中間機構１１２は、第一中間機構１１１に固定される機構である。
【００４０】
非作動状態において、免震床側パネル床自由縁部１３２と固定床側パネル床自由縁部１２２とが対向する。
【００４１】
作動状態において、免震床側パネル床１３０と固定床側パネル床１２０とが相対的に水平移動して、免震床側パネル床１３０と固定床側パネル床１２０との一方が免震床側パネル床１３０と固定床側パネル床１２０との他方の下に潜り込める。
例えば、作動状態において、免震床側パネル床１３０と固定床側パネル床１２０とが相対的に水平移動して、免震床側パネル床１３０が固定床側パネル床１２０との下に潜り込める。
例えば、作動状態において、免震床側パネル床１３０と固定床側パネル床１２０とが相対的に水平移動して、固定床側パネル床１２０が免震床側パネル床１３０の下に潜り込める。
【００４２】
免震床側パネル床１３０が、免震機構４００により免震床３００に近い単数または複数の箇所を少なくとも免震床から離間接近する方向に相対移動しない様に上下移動自在または揺動自在に拘束され、固定床側パネル床１２０が、中間機構１１０により固定床に近い単数または複数の個所を少なくとも固定床２００から離間接近する方向に相対移動しない様に上下移動自在または揺動自在に拘束されてもよい。
免震床側パネル床１３０が、免震機構４００により免震床３００に近い単数または複数の箇所を少なくとも免震床から離間接近する方向に相対移動しない様に上下移動自在または揺動自在に拘束され、固定床側パネル床１２０が、第二中間機構１１０により固定床に近い単数または複数の個所を少なくとも固定床２００から離間接近する方向に相対移動しない様に上下移動自在または揺動自在に拘束されてもよい。
免震床側パネル床１３０または免震床側パネル床１３０が、単数または複数の箇所を隙間方向Ｐに相対移動自由になる様に上下移動自在または揺動自在に拘束されてもよい。
【００４３】
以下に、本発明の第一の実施形態にかかる免震床取合構造１００を、図を基に、説明する。
図１は、本発明の第一の実施形態に係る免震床取合構造の概念図である。図２は、本発明の第一の実施形態に係る免震床取合構造の側面図である。図３は、本発明の第一の実施形態に係る免震床取合構造の部分詳細図である。図４は、本発明の第一の実施形態に係る中間機構の三面図である。
【００４４】
免震床取合構造１００は、中間機構１１０と固定床側パネル床１２０と免震床側パネル床１３０とで構成される。
【００４５】
中間機構１１０は、上から見て固定床２００と免震床３００とにはまされる空間に設けられ上部に滑り面Ｓをもつ構造である。
中間機構１１０は、上から見て固定床２００と免震床３００とにはまされる空間に設けられ上部に滑り面Ｓをもつ構造であって基礎に支持されてもよい。
中間機構１１０は、第一中間機構１１１と第二中間機構１１２と中間機構案内部１１３と固定床側パネル床拘束部１１４とで構成される。
【００４６】
第一中間機構１１１は、基礎Ｇに固定される。
第二中間機構１１２は、第一中間機構１１１により少なくとも隙間直交方向Ｑの相対移動を拘束されて上下方向の相対移動を自由にされる様に支持される。
第二中間機構１１２は、第一中間機構１１１により隙間方向Ｐの相対移動と隙間直交方向Ｑの相対移動とを拘束されて上下方向の相対移動を自由にされる様に支持されてもよい。
【００４７】
中間機構案内部１１３ａは、第二中間機構１１２を隙間方向Ｐの相対移動と隙間直交方向Ｑの相対移動とを拘束されて上下方向の相対移動を自由にされる様に支持する部分である。
例えば、中間機構案内部１１３ａは、第二中間機構１１２に固定され垂直に延びる棒状部材と棒状部材が嵌まる様に第一中間機構１１１に設けられる貫通孔とで構成される。
図２は、第二中間機構１１２は、第一中間機構１１１により隙間方向Ｐの相対移動と隙間直交方向Ｑの相対移動とを拘束されて上下方向の相対移動を自由にされる様に支持される様子を示される。
図４は、第一中間機構１１１に棒状部材が垂直に貫通する貫通孔が設けられる様子を示す。
固定床側パネル床拘束部１１４は、固定床側パネル床の固定床に近い単数または複数の箇所を固定床から離間接近する方向に相対移動しない様に上下移動自在または揺動自在に拘束する部分である。
例えば、固定床側パネル床拘束部１１４は、固定床側パネル１２０の下面に固定されたダボと第二中間機構１１２に設けられたダボの嵌まる孔とで構成される。
【００４８】
第二中間機構１１２が免震機構４００により水平方向の相対移動を自由にする様に支持される。
例えば、第二中間機構１１２が免震機構４００の第二中間機構支持部４３０ａに形成される支持面Ｗで支持され、水平方向の相対移動を自由にする様に支持される。
第二中間機構１１２が免震機構４００により免震床３００の上下移動に連動して上下移動して水平方向の相対移動を自由にされる様に支持されてもよい。
第二中間機構１１２が免震機構４００により免震床３００の上下移動に連動して上下移動して隙間方向Ｐと隙間直交方向Ｑとの相対移動を自由にされる様に支持されてもよい。
図２は、第二中間機構１１２が免震機構４００により免震床３００の上下移動に連動して上下移動して隙間方向Ｐと隙間直交方向Ｑとの相対移動を自由にされる様に支持される様子を示す。
【００４９】
固定床側パネル床１２０は、固定床２００に隣り合う様に設けられ固定床に近い単数または複数の個所を少なくとも固定床２００から離間接近する方向に相対移動しない様に上下移動自在または揺動自在に拘束される床構造である。
固定床側パネル床１２０は、固定床２００に互いの縁部を僅かの隙間を境に対向させて隣り合う様に設けられ固定床２００に近い単数または複数の個所を少なくとも固定床から離間接近する方向に相対移動しない様に上下移動自在または揺動自在に拘束される床構造であってもよい。
固定床側パネル床１２０は、固定床２００に互いの縁部を僅かの隙間を境に対向させて隣り合う様に設けられ固定床２００に近い単数または複数の個所を少なくとも固定床から離間接近する方向に相対移動しない様に上下移動自在または揺動自在に緩く拘束される床構造であってもよい。
図２には、固定床２００の縁部と固定床側パネル床に固定床の縁部に近い縁部である固定床側パネル床拘束縁部１２１とが僅かな隙間を境に対向している様子を示す。
【００５０】
免震床側パネル床１３０は、免震床に隣合う様に設けられ免震床に近い単数または複数の箇所を少なくとも免震床から離間接近する方向に相対移動しない様に上下移動自在または揺動自在に拘束される床構造である。
免震床側パネル床１３０は、免震床に互いの縁部を僅かの隙間を境に対向させて隣合う様に設けられ免震床に近い単数または複数の箇所を少なくとも免震床から離間接近する方向に相対移動しない様に上下移動自在または揺動自在に拘束される床構造であってもよい。
免震床側パネル床１３０は、免震床に互いの縁部を僅かの隙間を境に対向させて隣合う様に設けられ免震床に近い単数または複数の箇所を少なくとも免震床から離間接近する方向に相対移動しない様に上下移動自在または揺動自在に緩く拘束される床構造であってもよい。
図２には、免震床３００の縁部と免震床側パネル床１３０の免震床３００の縁部に近い縁部である免震床側パネル床拘束縁部１３１とが僅かな隙間を境に対向している様子を示す。
【００５１】
免震床側パネル床１３０が、免震機構４００により免震床３００に近い単数または複数の箇所を少なくとも免震床３００から離間接近する方向に相対移動しない様に且つ隙間方向Ｐに相対移動しない様に上下移動自在または揺動自在に拘束される。
例えば、免震機構４００に設けられた免震床側パネル床拘束部４２０が、免震床側パネル床１３０の免震床３００に近い単数または複数の箇所を免震床３００から離間接近する方向に相対移動しない様に且つ隙間方向Ｐに相対移動しない様に上下移動自在または揺動自在に拘束する。
例えば、免震機構４００に設けられた免震床側パネル床拘束部４２０が、免震床側パネル床１３０の免震床３００に近い単数または複数の箇所を免震床３００から離間接近する方向に相対移動しない様に且つ隙間方向Ｐに相対移動しない様に上下移動自在または揺動自在に緩く拘束する。
【００５２】
固定床側パネル床１２０が、第二中間機構１１２により固定床２００に近い単数または複数の個所を少なくとも固定床２００から離間接近する方向に相対移動しない様に且つ隙間方向Ｐに相対移動しない様に上下移動自在または揺動自在に拘束される。
例えば、第二中間機構１１２に設けられた固定床側パネル床拘束部１１４が、固定床側パネル床１２０の固定床２００に近い単数または複数の個所を少なくとも固定床２００から離間接近する方向に相対移動しない様に且つ隙間方向Ｐに相対移動しない様に上下移動自在または揺動自在に拘束する。
【００５３】
非作動状態において免震床側パネル床自由縁部１３２と固定床側パネル床自由縁部１２２とが中間機構１１０の上部で僅かの隙間を境に対向する。
非作動状態において免震床側パネル床自由縁部１３２と固定床側パネル床自由縁部１２２とが中間機構１１０の滑り面Ｓの上部で僅かの隙間を境に対向してもよい。
図３は、非作動状態において免震床側パネル床自由縁部１３２と固定床側パネル床自由縁部１２２とが中間機構１１０の上部で僅かの隙間を境に対向し隙間空間を形成する様子を示す。
【００５４】
作動状態において免震床側パネル床１３０と固定床側パネル床１２０とが中間機構１１０の滑り面Ｓを滑って中間機構１１０の上部で相対的に水平移動して免震床側パネル床１３０と固定床側パネル床１２０との一方が免震床側パネル床１３０と固定床側パネル床１２０との他方の下に潜り込める。
例えば、作動状態において免震床側パネル床１３０と固定床側パネル床１２０とが中間機構１１０の滑り面Ｓを滑って中間機構１１０の上部で相対的に水平移動して免震床側パネル床１３０が固定床側パネル床１２０の下に潜り込める。
作動状態において免震床側パネル床１３０と固定床側パネル床１２０とが中間機構１１０の滑り面Ｓを滑って中間機構１１０の上部で相対的に水平移動して固定床側パネル床１２０が免震床側パネル床１３０の下に潜り込める。
【００５５】
以下に、免震床側パネル床自由縁部の形状と固定床側パネル床自由縁部の形状を、図を基に、詳述する。
図３は、免震床側パネル床自由縁部の形状と固定床側パネル床自由縁部の形状を示す。
【００５６】
非作動状態における免震床側パネル床自由縁部と固定床側パネル床自由縁部との境の隙間の隙間方向Ｐに沿って見た形状が上から下に移動するに従って拡がる様になる。
【００５７】
免震床側パネル床自由縁部と固定床側パネル床自由縁部との一方が上方に面を向け先端に移動するに従って下方に傾斜する傾斜面である上向き傾斜面Ｓ１を形成され、免震床側パネル床自由縁部と固定床側パネル床自由縁部との一方が下方に面を向け先端に移動するに従って上方に傾斜する傾斜面である下向き傾斜面Ｓ２を形成され、隙間方向Ｐに視線を沿わせて見て上向き傾斜面Ｓ１の形状と下向き傾斜面Ｓ２の形状とが異なる。
図３は、免震床側パネル床自由縁部が上方に面を向け先端に移動するに従って下方に傾斜する傾斜面である上向き傾斜面Ｓ１を形成され、固定床側パネル床自由縁部が下方に面を向け先端に移動するに従って上方に傾斜する傾斜面である下向き傾斜面Ｓ２を形成され、隙間方向Ｐに視線を沿わせて見て上向き傾斜面Ｓ１の形状と下向き傾斜面Ｓ２の形状とが異なる。
【００５８】
免震床側パネル床自由縁部が上方または下方の一方の方向に面を向け先端に移動するに従って厚さが薄くなる様に傾斜する傾斜面である免震床側パネル床自由縁部傾斜面を形成され、固定床側パネル床自由縁部が上側または下側の他方の方向に面を向け先端に移動するに従って厚さが薄くなる様に傾斜する傾斜面である固定床側パネル床自由縁部傾斜面を形成され、隙間方向Ｐに視線を沿わせて見て免震床側パネル床自由縁部傾斜面の形状と固定床側パネル床自由縁部傾斜面の形状とが異なる。
【００５９】
免震床側パネル床自由縁部と固定床側パネル床自由縁部との一方が上方に面を向け先端に移動するに従って下方に傾斜する傾斜面である上向き傾斜面Ｓ１を形成され、免震床側パネル床自由縁部と固定床側パネル床自由縁部との一方が下方に面を向け先端に移動するに従って上方に傾斜する傾斜面である下向き傾斜面Ｓ２を形成され、作動状態において免震床側パネル床と固定床側パネル床の一方が免震床側パネル床と固定床側パネル床の他方の下に潜り込む際に上向き傾斜面Ｓ１と下向き傾斜面Ｓ２との接点が上向き傾斜面Ｓ１の面と下向き傾斜面Ｓ２の面とを移動し、隙間方向Ｐに視線を沿わせて見て上向き傾斜面Ｓ１のうちの少なくとも接点が移動する範囲の傾斜面の水平面からの傾斜角度θ１が下向き傾斜面Ｓ２のうちの少なくとも接点が移動する範囲の傾斜面の水平面からの傾斜角度θ２より大きい。
図３は、  免震床側パネル床自由縁部が上方に面を向け先端に移動するに従って下方に傾斜する傾斜面である上向き傾斜面Ｓ１を形成され、固定床側パネル床自由縁部が下方に面を向け先端に移動するに従って上方に傾斜する傾斜面である下向き傾斜面Ｓ２を形成され、作動状態において免震床側パネル床と固定床側パネル床の一方が免震床側パネル床と固定床側パネル床の他方の下に潜り込む際に上向き傾斜面Ｓ１と下向き傾斜面Ｓ２との接点が上向き傾斜面Ｓ１の面と下向き傾斜面Ｓ２の面とを移動し、隙間方向Ｐに視線を沿わせて見て上向き傾斜面Ｓ１のうちの少なくとも接点が移動する範囲の傾斜面の水平面からの傾斜角度θ１が下向き傾斜面Ｓ２のうちの少なくとも接点が移動する範囲の傾斜面の水平面からの傾斜角度θ２より大きい様子を示す、
【００６０】
以下に、本発明の第一の実施形態にかかる免震床取合構造の作用を、図を基に、説明する。
図５は、本発明の第一の実施形態にかかる免震床取合構造の作用説明図である。
【００６１】
（非作動時）
図５の上段の図は、非作動時の様子を示す。
地震がなく免震機構４００が安定位置にある。
第二中間機構１１２は、第一中間機構１１１にその重量をあずけている。
免震床側パネル床自由縁部と固定床側パネル床自由縁部とが中間機構の上部で僅かの隙間を境に対向しする。
【００６２】
（作動時）
図５の中段と下段の図は、作動状態の様子を示す。
図５の中段の図では、免震機構４００が免震床３００を持ち上げさらに左側へ移動する。免震機構４００が第二中間機構１１２を免震床４００の上昇に連動して上昇させる。固定床側パネル床１２０と免震床側パネル床１３０とが上昇しつつ離間する様に相対移動する。固定床側パネル床自由縁部１２２と免震床側パネル床自由縁部１３２との間の隙間が広がる。
図５の下段の図では、免震機構４００が免震床３００を持ち上げさらに右側へ移動する。免震機構４００が第二中間機構１１２を免震機構４００の上昇に連動して上昇させる。固定床側パネル床１２０と免震床側パネル床１３０とが上昇しつつ接近する様に相対移動する。免震床側パネル床１３０が固定床側パネル床１２０の下に潜り込みむ。
【００６３】
次に、本発明の第二の実施形態にかかる免震床取合構造１００を、図をもとに説明する。
図６は、本発明の第二の実施形態に係る免震床取合構造の側面図である。図７は、本発明の第二の実施形態に係る免震床取合構造のＡ−Ａ矢視図である。図８は、本発明の第二の実施形態に係る免震床取合構造のＡ−Ａ矢視図である。図９は、本発明の第二の実施形態に係る中間機構の三面図である。
【００６４】
免震床取合構造１００は、中間機構１１０と固定床側パネル床１２０と免震床側パネル床１３０とで構成される。
【００６５】
中間機構１１０は、上から見て固定床２００と免震床３００とに挟まれる空間に設けられ上部に滑り面Ｓをもつ構造である。
中間機構１１０は、上から見て固定床２００と免震床３００とに挟まれる空間に設けられ上部に滑り面Ｓをもつ構造であって基礎に支持されてもよい。
中間機構１１０は、第一中間機構１１１と第二中間機構１１２と中間機構案内部１１３と固定床側パネル床拘束部１１４とで構成される。
【００６６】
第一中間機構１１１は、基礎に固定される。
第二中間機構１１２は、第一中間機構１１１により少なくとも隙間直交方向Ｑの相対移動を拘束されて上下方向の相対移動を自由にされる様に支持される。
第二中間機構１１２は、第一中間機構１１１により隙間直交方向Ｑの相対移動を拘束されて隙間方向Ｐの相対移動を自由にされて上下方向の相対移動を自由にされる様に支持されてもよい。
【００６７】
中間機構案内部１１３ｂは、第二中間機構１１２を隙間直交方向Ｑの相対移動とを拘束されて隙間方向Ｐの相対移動を自由にされて上下方向の相対移動を自由にされる様に支持する部分である。
例えば、中間機構案内部１１３ａは、第二中間機構１１２に固定され垂直に延びる棒状部材と棒状部材が嵌まる様に第一中間機構１１１に設けられ上から見て隙間方向Ｐに沿って延びる長穴状の貫通穴とで構成される。
図６は、第二中間機構１１２は、第一中間機構１１１により隙間直交方向Ｑの相対移動とを拘束されて隙間方向Ｐの相対移動を自由にされて上下方向の相対移動を自由にされる様に支持される様子を示される。
図９は、上から見て第一中間機構１１１に隙間方向Ｐに沿って延びる長穴状の貫通穴が設けられる様子を示す。
固定床側パネル床拘束部１１４は、固定床側パネル床１２０の固定床２００に近い単数または複数の箇所を固定床から離間接近する方向に相対移動しない様に上下移動自在または揺動自在に拘束する部分である。
例えば、固定床側パネル床拘束部１１４は、固定床側パネル１２０の下面に固定されたダボと第二中間機構１１２に設けられたダボの嵌まる孔とで構成される。
【００６８】
第二中間機構１１２が免震機構４００により水平方向の相対移動を自由にする様に支持される。  
第二中間機構１１２が免震機構４００の第二中間機構支持部４３０ｂに形成される案内面Ｙに案内され、水平方向の相対移動を自由にする様に支持される。
第二中間機構１１２が免震機構４００により免震床の上下移動に連動して上下移動し水平方向の相対移動を自由にされる様に支持されてもよい。
第二中間機構１１２が免震機構４００により免震床３００の上下移動に連動して上下移動し隙間方向Ｐの相対移動を拘束し隙間直交方向Ｑとの相対移動を自由にされる様に支持されてもよい。
図７は、第二中間機構１１２が免震機構４００により免震床３００の上下移動に連動して上下移動し隙間方向Ｐの相対移動を拘束し隙間直交方向Ｑの相対移動を自由にされる様に支持される様子を示す。
【００６９】
固定床側パネル床１２０の構造は、第一の実施形態にかかる免震床取合構造のものと同じなので、説明を省略する。
【００７０】
免震床側パネル床１３０の構造は、第一の実施形態にかかる免震床取合構造のものと同じなので、説明を省略する。
【００７１】
免震床側パネル床自由縁部の形状と固定床側パネル床自由縁部の形状の構成は、第二の実施形態にかかる免震床取合構造のものと同じなので、説明を省略する。
【００７２】
以下に、本発明の第二の実施形態にかかる免震床取合構造の作用を、図を基に、説明する。
図５は、本発明の第一の実施形態にかかる免震床取合構造の作用説明図であるが、この図を参考に説明する。
【００７３】
（非作動時）
図５の上段の図は、非作動時の様子を示す。
地震がなく免震機構４００が安定位置にある。
第二中間機構１１２は第一中間機構１１１にその重量をあずけている。
免震床側パネル床自由縁部と固定床側パネル床自由縁部とが中間機構の上部で僅かの隙間を境に対向しする。
【００７４】
（作動時）
図５の中段と下段の図は、作動状態の様子を示す。
図５の中段の図では、免震機構４００が免震床３００を持ち上げさらに左側へ移動する。免震機構４００が第二中間機構１１２を免震床４００の上昇に連動して上昇させる。固定床側パネル床１２０と免震床側パネル床１３０とが上昇しつつ離間する様に相対移動する。固定床側パネル床自由縁部１２２と免震床側パネル床自由縁部１３２との間の隙間が広がる。
図５の下段の図では、免震機構４００が免震床３００を持ち上げさらに右側へ移動する。免震機構４００が第二中間機構１１２を免震床４００の上昇に連動して上昇させる。固定床側パネル床１２０と免震床側パネル床１３０とが上昇しつつ接近する様に相対移動する。免震床側パネル床１３０が固定床側パネル床１２０の下に潜り込みむ。
免震機構４００が免震床３００を図８の左右方向に水平移動させると、免震床３００の左右への水平移動に連動して第二中間機構１１２も左右へ水平移動する。その結果、固定側パネル床１２０と免震床側パネル床１３０と免震床３００とが連動して左右に水平移動する。
図８の左右方向は隙間方向Ｐに一致する。
図８は、免震機構４００が免震床３００を図を正面に見て左右方向に水平移動し、免震床３００の左右への水平移動に連動して第二中間機構１１２も左右へ水平移動し、固定側パネル床１２０と免震床側パネル床１３０と免震床３００とが連動して左右に水平移動する様子を示す。
【００７５】
次ぎに、本発明の第三の実施形態にかかる免震床取合構造１００を図を基に、説明する。
図１０は、本発明の第三の実施形態に係る免震床取合構造の概念図である。図１１は、本発明の第三の実施形態に係る免震床取合構造の作動説明図である。
【００７６】
免震床取合構造１００は、中間機構１１０と固定床側パネル床１２０と免震床側パネル床１３０とで構成される。
【００７７】
中間機構１１０は、上から見て固定床２００と免震床３００とに挟まれる空間に設けられ上部に滑り面Ｓをもつ構造である。
中間機構１１０は、上から見て固定床２００と免震床３００とに挟まれる空間に設けられ上部に滑り面Ｓをもつ構造であって基礎に支持されてもよい。
中間機構１１０は、第一中間機構１１１と第二中間機構１１２と固定床側パネル床拘束部１１４とで構成される。
第一中間機構１１１が、第二中間機構１１２を固定する。
滑り面Ｓが第二中間機構１１２の上部に形成される。
【００７８】
固定床側パネル床拘束部１１４は、固定床側パネル床の固定床に近い単数または複数の箇所を固定床２００から離間接近する方向に相対移動しない様に上下移動自在または揺動自在に拘束する部分である。
例えば、固定床側パネル床拘束部１１４は、固定床側パネル１２０の下面に固定されたダボと第二中間機構１１２に設けられたダボの嵌まる孔とで構成される。
【００７９】
免震機器４００の動きにかかわらず、滑り面Ｓが移動しない。
【００８０】
固定床側パネル床１２０と免震床側パネル床１３０の構成は、第一の実施形態にかかる免震床取合構造のものと同じなので、説明を省略する。
【００８１】
免震床側パネル床自由縁部の形状と固定床側パネル床自由縁部の形状の構成は、第一の実施形態にかかる免震床取合構造のものと同じなので、説明を省略する。
【００８２】
以下に、本発明の第三の実施形態にかかる免震床取合構造の作用を、図を基に、説明する。
図１１は、本発明の第三の実施形態にかかる免震床取合構造の作用説明図である。
【００８３】
（非作動時）
図１１の上段の図は、非作動時の様子を示す。
地震がなく免震機構４００が安定位置にある。
第二中間機構１１２は第一中間機構１１１に固定されている。
免震床側パネル床自由縁部と固定床側パネル床自由縁部とが中間機構の上部で僅かの隙間を境に対向しする。
【００８４】
（作動時）
図１１の中段と下段の図は、作動状態の様子を示す。
図１１の中段の図では、免震機構４００が免震床３００を持ち上げさらに左側へ移動する。固定床側パネル床自由縁部１２２と免震床側パネル床自由縁部１３２との間の隙間が広がる。
図５の下段の図では、免震機構４００が免震床３００を持ち上げさらに右側へ移動する。免震床側パネル床１３０が上昇しつつ固定床側パネル床１２０へ接近する様に相対移動する。免震床側パネル床１３０が固定床側パネル床１２０の下に潜り込む。
【００８５】
次ぎに、本発明の第四の実施形態にかかる免震床取合構造を、図を基に、説明する。
図１２は、本発明の第四の実施形態に係る免震床取合構造の側面図である。図１３は、本発明の第四の実施形態に係る免震床取合構造の部分平面図である。
【００８６】
免震床取合構造１００は、中間機構１１０と固定床側パネル床１２０と免震床側パネル床１３０とで構成される。
【００８７】
中間機構１１０は、上から見て固定床２００と免震床３００とに挟まれる空間に設けられる構造である。
中間機構１１０は、上から見て固定床２００と免震床３００とに挟まれる空間に設けられ基礎に支持されてもよい。
中間機構１１０は、第一中間機構１１１と第二中間機構１１２と中間機構案内部１１３と固定床側パネル床拘束部１１４とで構成される。
【００８８】
第一中間機構１１１は、基礎Ｇに固定される。
第二中間機構１１２は、第一中間機構１１１により少なくとも隙間直交方向Ｑの相対移動を拘束されて上下方向の相対移動を自由にされる様に支持される。
第二中間機構１１２は、第一中間機構１１１により隙間方向Ｐの相対移動と隙間直交方向Ｑの相対移動とを拘束されて上下方向の相対移動を自由にされる様に支持されてもよい。
【００８９】
中間機構案内部１１３ａは、第二中間機構１１２を隙間方向Ｐの相対移動と隙間直交方向Ｑの相対移動とを拘束されて上下方向の相対移動を自由にされる様に支持する部分である。
例えば、中間機構案内部１１３ａは、第二中間機構１１２に固定され垂直に延びる棒状部材と棒状部材が嵌まる様に第一中間機構１１１に設けられる貫通孔とで構成される。
図１２は、第二中間機構１１２は、第一中間機構１１１により隙間方向Ｐの相対移動と隙間直交方向Ｑの相対移動とを拘束されて上下方向の相対移動を自由にされる様に支持される様子を示される。
図１２は、第一中間機構１１１に貫通孔が設けられる様子を示す。
固定床側パネル床拘束部１１４は、固定床側パネル床の固定床に近い単数または複数の箇所を固定床から離間接近する方向に相対移動しない様に上下移動自在または揺動自在に拘束する部分である。
例えば、固定床側パネル床拘束部１１４は、固定床側パネル１２０の下面に固定されたダボと第二中間機構１１２に設けられたダボの嵌まる孔とで構成される。
【００９０】
第二中間機構１１２が免震機構４００により水平方向の相対移動を自由にする様に支持される。
第二中間機構１１２が免震機構４００により免震床の上下移動に連動して上下移動し水平方向の相対移動を自由にされる様に支持されてもよい。
第二中間機構１１２が免震機構により免震床３００の上下移動に連動して上下移動し隙間方向Ｐと隙間直交方向Ｑとの相対移動を自由にされる様に支持されてもよい。
【００９１】
固定床側パネル床１２０は、固定床に隣り合う様に設けられ固定床に近い単数または複数の個所を少なくとも固定床から離間接近する方向に相対移動しない様に上下移動自在または揺動自在に拘束される床構造である。
固定床側パネル床１２０は、固定床に互いの縁部を僅かの隙間を境に対向させて隣り合う様に設けられ固定床に近い単数または複数の個所を少なくとも固定床から離間接近する方向に相対移動しない様に上下移動自在または揺動自在に拘束される床構造であってもよい。
固定床側パネル床１２０は、固定床に互いの縁部を僅かの隙間を境に対向させて隣り合う様に設けられ固定床に近い単数または複数の個所を少なくとも固定床から離間接近する方向に相対移動しない様に上下移動自在または揺動自在に緩く拘束される床構造であってもよい。
図２には、固定床側パレル床１２０と固定床２００とが隣り合っている様子を示す。
【００９２】
免震床側パネル床１３０は、免震床３００に隣合う様に設けられる床構造である。
図１２は、免震床側パネル床１３０が免震床３００に隣合う洋に設けられる様子を示す。
【００９３】
免震床側パネル床１３０が、免震機構４００により免震床３００に少なくとも免震床３９９から離間接近する方向に相対移動しない様に拘束される。
例えば、免震機構４００に設けられた免震床側パネル床拘束部４２０が、免震床３００相対移動しない様に拘束する。
【００９４】
固定床側パネル床１２０が、第二中間機構１１２により固定床２００に近い単数または複数の個所を少なくとも固定床２００から離間接近する方向に相対移動しない様に且つ隙間方向Ｐに相対移動自由にする様に上下移動自在または揺動自在に拘束される。
例えば、第二中間機構１１２に設けられた固定床側パネル床拘束部１１４ｂが、固定床側パネル床１２０の固定床２００に近い単数または複数の個所を少なくとも固定床２００から離間接近する方向に相対移動しない様に且つ隙間方向Ｐに相対移動自由にする様に揺動自由に拘束する。
【００９５】
非作動状態において免震床側パネル床自由縁部と固定床側パネル床自由縁部とが対向する。
【００９６】
作動状態において免震床側パネル床と固定床側パネル床とが相対的に水平移動して免震床側パネル床と固定床側パネル床との一方が免震床側パネル床と固定床側パネル床との他方の下に潜り込める。
図１２は、  作動状態において免震床側パネル床１３０と固定床側パネル床１２０とが相対的に水平移動して免震床側パネル床１３０が固定床側パネル床１２０の下に潜り込む様子を示す。
【００９７】
免震床側パネル床自由縁部の形状と固定床側パネル床自由縁部の形状は、第一の実施形態にかかる免震床取合構造のものと同じなので、説明を省略する。
【００９８】
以下に、本発明の第四の実施形態にかかる免震床取合構造の作用を、説明する。
【００９９】
（非作動時）
地震がなく免震機構４００が安定位置にある。
第二中間機構１１２は第一中間機構１１１にその重量をあずけている。
免震床側パネル床自由縁部と固定床側パネル床自由縁部とが中間機構の上部で僅かの隙間を境に対向する。
【０１００】
（作動時）
免震機構４００が免震床３００を持ち上げさらに左側へ移動する。免震機構４００が第二中間機構１１２を免震床３００の上昇に連動して上昇させる。固定床側パネル床１２０と免震床側パネル床１３０とが上昇しつつ離間する様に相対移動する。固定床側パネル床自由縁部１２２と免震床側パネル床自由縁部１３２との間の隙間が広がる。
免震機構４００が免震床３００を持ち上げさらに右側へ移動する。免震機構４００が第二中間機構１１２を免震床３００の上昇に連動して上昇させる。固定床側パネル床１２０と免震床側パネル床１３０とが上昇しつつ接近する様に相対移動する。免震床側パネル床１３０が固定床側パネル床１２０の下に潜り込みむ。
図１３は、図を正面に見て、免震機構４００が免震床３００を左右方向に相対移動させると、固定床側パネル床１２０が連動して左右方向に相対移動する様子を示す。
【０１０１】
上述のとおり、本発明の実施実施形態に係る免震床取合構造を用いれば、以下の効果を有する。
上部に滑り面Ｓをもつ中間機構１１０を免震床３００と固定床２００とに挟まれる空間に設け、免震床側パネル床１３０を免震床３００に近い個所を緩く拘束して免震床３００に隣り合う様に設け、固定床側パネル床１２０を固定床２００に近い個所を緩く拘束して固定床２００に隣り合う様に設け、非作動状態において免震床側パネル床１３０の縁部と固定床側パネル床１２０の縁部が中間機構１１０の上部で僅かの隙間を境に対向し、作動状態において免震床側パネル床１３０と固定床側パネル床１２０とが滑り面Ｓを滑って一方が他方の下に潜り込める様にしたので、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を水平方向の相対移動を拘束し上下方向の相対移動を自由にする様に支持し、免震機構４００が第二中間機構１１２を水平方向の相対移動を自由にする様に支持する様にしたので、免震機構４００に支持された免震床３００と免震機構４００に支持された第二中間機構１１２が連動して上下移動して、免震床側パネル床１３０と固定床側パネル床１２０とが第二中間機構１１２の滑り面Ｓの上を滑り、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を水平方向の相対移動を拘束し上下方向の相対移動を自由にする様に支持し、免震機構４００が第二中間機構１１２を水平方向の相対移動を自由にし免震床３００の上下移動に連動して上下移動する様に支持する様にしたので、免震床側パネル床１３０と固定床側パネル床１２０とが免震床３００の上下移動に連動して上下移動する第二中間機構１１２の滑り面Ｓの上を滑り、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を隙間方向Ｐと隙間方向Ｐに直交する方向の移動を拘束し上下方向の相対移動を自由にする様に支持し、免震機構４００が第二中間機構１１２を水平方向の相対移動を自由にし免震床の上下移動に連動して上下移動する様に支持する様にしたので、免震床側パネル床１３０と固定床側パネル床１２０とが免震床３００の上下移動に連動して上下移動する第二中間機構１１２の滑り面Ｓの上を滑り、非作動状態と作動状態のいつでもパネル床を経由して免震床３００と固定床２００との間を行き来できる。
また、非作動状態における免震床側パネル床自由縁部１３２と固定床側パネル床自由縁部１２２との境の隙間空間の隙間方向Ｐに沿って見た形状が上から下に移動するに従って拡がる様にしたので、作動状態において免震床側パネル床自由縁部１３２と固定床側パネル床自由縁部１２２とが隙間方向Ｐにみて一箇所で接触して滑り免震床側パネル床１３０と固定床側パネル床１２０との一方が免震床側パネル床１３０と固定床側パネル床１２０との他方の下に安定して潜り込める。
また、先端に移動するに従って厚さが薄くなる様に傾斜する上向き傾斜面Ｓ１を免震床側パネル床自由縁部１３２と固定床側パネル床自由縁部１２２との一方の上側に形成し、先端に移動するに従って厚さが薄くなる様に傾斜する下向き傾斜面Ｓ２を他方の下側に形成し、隙間方向Ｐに沿って見て上向き傾斜面Ｓ１の形状と下向き傾斜面Ｓ２の形状とが異なる様にしたので、作動状態において免震床側パネル床自由縁部１３２と固定床側パネル床自由縁部１２２とが隙間方向Ｐにみて一箇所で接触して滑り免震床側パネル床１３０と固定床側パネル床１２０との一方が免震床側パネル床１３０と固定床側パネル床１２０との他方の下に安定して潜り込める。
また、先端に移動するに従って厚さが薄くなる様に傾斜する上向き傾斜面Ｓ１を免震床側パネル床自由縁部１３２と固定床側パネル床自由縁部１２２との一方の上側に形成し、先端に移動するに従って厚さが薄くなる様に傾斜する下向き傾斜面Ｓ２を他方の下側に形成し、作動状態において隙間方向Ｐに沿って見て上向き傾斜面Ｓ１と下向き傾斜面Ｓ２との接点が上向き傾斜面Ｓ１の面と下向き傾斜面Ｓ２の面とを移動し、上向き傾斜面Ｓ１のうちの少なくとも接点が移動する範囲の面の水平面からの傾斜角度θ１が下向き傾斜面Ｓ２のうちの少なくとも接点が移動する範囲の面の水平面からの傾斜角θ２度より大きい様にしたので、作動状態において免震床側パネル床自由縁部１３２と固定床側パネル床自由縁部１２２とが隙間方向Ｐにみて接点で接触して滑り免震床側パネル床１３０と固定床側パネル床１２０との一方が免震床側パネル床１３０と固定床側パネル床１２０との他方の下に安定して潜り込める。
また、基礎Ｇに固定される第一中間機構１１１が上部に滑り面Ｓをもつ第二中間機構１１２を隙間方向Ｐに直交する方向の移動を拘束し隙間方向Ｐの相対移動を自由にし上下方向の相対移動を自由にする様に支持し、免震機構４００が第二中間機構１１２を水平方向の相対移動を自由にし免震床３００の上下移動に連動して上下移動する様に支持する様にしたので、免震床側パネル床１３０と固定床側パネル床１２０とが免震床３００の上下移動に連動して上下移動する第二中間機構１１２の滑り面Ｓの上を滑り、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を隙間方向Ｐに直交する方向の移動を拘束し隙間方向Ｐの相対移動を自由にし上下方向の相対移動を自由にする様に支持し、免震機構４００が第二中間機構１１２を隙間方向Ｐの相対移動を拘束し隙間直交方向Ｑの相対移動を自由に免震床３００の上下移動に連動して上下移動する様に支持する様にしたので、免震床側パネル床１３０と固定床側パネル床１２０とが免震床３００の上下移動に連動して上下移動する第二中間機構１１の滑り面Ｓの上を滑り、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を上下方向の相対移動を拘束する様に支持する様にしたので、免震床側パネル床１３０と固定床側パネル床１２０とが上下移動を拘束される第二中間機構１１２の滑り面Ｓの上を滑り、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を水平方向の相対移動を拘束され上下方向の相対移動を拘束する様に支持する様にしたので、免震床側パネル床１３０と固定床側パネル床１２０とが上下移動を拘束される第二中間機構１１２の滑り面Ｓの上を滑り、非作動状態と作動状態のいつでもパネル床を経由して免震床３００と固定床２００との間を行き来できる。
また、基礎Ｇに固定される第一中間機構１１１が上部に滑り面Ｓをもつ第二中間機構１１２を隙間方向Ｐの移動を拘束され隙間直交方向Ｑの相対移動を拘束され上下方向の相対移動を拘束する様に支持する様にしたので、免震床側パネル床１３０と固定床側パネル床１２０とが上下移動を拘束される第二中間機構１１２の滑り面Ｓの上を滑り、非作動状態と作動状態のいつでもパネル床を経由して免震床１３０と固定床１２０との間を行き来できる。
また、基礎Ｇに固定される第一中間機構１１１が上部に滑り面をＳもつ第二中間機構１１２を隙間方向Ｐの相対移動を自由にされ隙間直交方向Ｑの相対移動を拘束され上下方向の相対移動を拘束する様に支持する様にしたので、免震床側パネル床１３０と固定床側パネル床１２０とが上下移動を拘束される第二中間機構１１２の滑り面Ｓの上を滑り、非作動状態と作動状態のいつでもパネル床を経由して免震床３００と固定床２００との間を行き来できる。
また、免震床側パネル床１３０が、少なくとも免震床３００から離間接近する方向に相対移動しない様に上下移動自在または揺動自在に拘束され、固定床側パネル床１２０が、少なくとも固定床２００から離間接近する方向に相対移動しない様に上下移動自在または揺動自在に拘束される様にしたので、免震床３００の動きに連動して、免震床側パネル床１３０と固定床側パネル床１２０とが上下移動または揺動できる。
また、免震床側パネル床１３０が、少なくとも免震床３００から離間接近する方向に相対移動しない様に且つ隙間方向Ｐに相対移動しない様に上下移動自在または揺動自在に拘束され、固定床側パネル床１２０が、少なくとも固定床２００から離間接近する方向に相対移動しない様に且つ隙間方向Ｐに相対移動しない様に上下移動自在または揺動自在に拘束される様にしたので、免震床３００の動きに連動して、免震床側パネル床１３０と固定床側パネル床１２０とが上下移動または揺動できる。
また、免震床側パネル床１３０が、少なくとも免震床３００から離間接近する方向に相対移動しない様に且つ隙間方向Ｐに相対移動自由になる様に上下移動自在または揺動自在に拘束される、固定床側パネル床１２０が、少なくとも固定床２００から離間接近する方向に相対移動しない様に上下移動自在または揺動自在に拘束される様にしたので、免震床３００の動きに連動して、免震床側パネル床１３０と固定床側パネル床１２０とが上下移動または揺動できる。
また、免震床側パネル床１３０が少なくとも免震床３００から離間接近する方向に相対移動しない様に上下移動自在または揺動自在に拘束され、固定床側パネル床１２０が、少なくとも固定床２００から離間接近する方向に相対移動しない様に且つ隙間方向Ｐに相対移動自由になる様に上下移動自在または揺動自在に拘束される、様にしたので、免震床３００の動きに連動して、免震床側パネル床１３０と固定床側パネル床１２０とが上下移動または揺動できる。
中間機構１１０を免震床３００と固定床２００とに挟まれる空間に設け、免震床側パネル床１３０を免震床３００に隣り合う様に設け、固定床側パネル床１２０を隙間方向Ｐに沿って相対移動自由にし固定床２００に近い個所を拘束して固定床２００に隣り合う様に設け、非作動状態において免震床側パネル床１３０の縁部と固定床側パネル床１２０の縁部が僅かの隙間を境に対向し、作動状態において免震床側パネル床１３０と固定床側パネル床１２０とが滑り面Ｓを滑って一方が他方の下に潜り込める様にしたので、非作動状態と作動状態のいつでもパネル床を経由して免震床３００と固定床２００との間を行き来できる。
【０１０２】
本発明は以上に述べた実施形態に限られるものではなく、発明の要旨を逸脱しない範囲で各種の変更が可能である。
【符号の説明】
【０１０３】
Ｇ  基礎
Ｓ  滑り面
Ｗ  支持面
Ｙ  案内面
Ｐ  隙間方向
Ｑ  隙間直交方向
Ｓ１  上向き傾斜面
Ｓ２  下向き傾斜面
１００  免震床取合構造
１１０  中間機構
１１１  第一中間機構
１１２  第二中間機構
１１３  中間機構案内部
１１３ａ  中間機構案内部
１１３ｂ  中間機構案内部
１１４  固定床側パネル床拘束部
１１４ｂ  固定床側パネル床拘束部
１２０  固定床側パネル床
１２１  固定床側パネル床拘束縁部
１２２  固定床側パネル床自由縁部
１３０  免震床側パネル床
１３１  免震床側パネル床拘束縁部
１３２  免震床側パネル床自由縁部
２００  固定床
３００  免震床
４００  免震機構
４１０  免震機構架構
４２０  免震床側パネル床拘束部
４３０ａ  第二中間機構支持部
４３０ｂ  第二中間機構支持部
【先行技術文献】
【特許文献】
【０１０４】
【特許文献１】特開平８−２７７６２１
【特許文献２】特開平９−１７７２９７
【特許文献３】特開２０００−１６０８２０
【特許文献４】特開平８−２０９９１１
【図１】
2015218467.tif 000003
【図２】
2015218467.tif 000004
【図３】
2015218467.tif 000005
【図４】
2015218467.tif 000006
【図５】
2015218467.tif 000007
【図６】
2015218467.tif 000008
【図７】
2015218467.tif 000009
【図８】
2015218467.tif 000010
【図９】
2015218467.tif 000011
【図１０】
2015218467.tif 000012
【図１１】
2015218467.tif 000013
【図１２】
2015218467.tif 000014
【図１３】
2015218467.tif 000015